(57)【要約】【課題】  来訪者映像に加えて、来訪者が提示する身分証明書としてのＩＣカードのＲＦＩＤ情報及びＩＣカードに印刷されている画像情報も入手して来訪者を複合的に認証するインターホン装置を提供する。【解決手段】  玄関端末１にＲＦＩＤ入出力部を設けると共に、来訪者が提示するＩＣカードを密着させるカード提示部２２を平坦な凹状部として形成した。ＲＦＩＤ入出力部のアンテナコイル２４をカード提示部２２内に配置し、カメラ１１をカード提示部２２内の玄関端末ケース１ａの内部に収容し、来訪者に加えてＩＣカードに印刷されている顔画像を撮像可能とした。そして、居室端末にはカメラ１１の撮像映像に加えてＲＦＩＤ入出力部が読み取ったＲＦＩＤ情報をモニタに表示可能とした。【選択図】  図３
2008252615.tif 000002
【特許請求の範囲】
【請求項１】
居住者を呼び出して通話する機能及び来訪者を撮像するためのカメラを備えた玄関端末と、呼び出しに応答する機能及び前記カメラの撮像映像を表示するモニタを備えた居室端末とを有するインターホン装置であって、
前記玄関端末は、ＲＦＩＤ読取手段、及び来訪者が提示するＩＣカードを密着させるためのカード提示部を備えて、前記ＲＦＩＤ読取手段のアンテナコイルを前記カード提示部に配置すると共に、前記カード提示部に提示されたカードを撮像可能とするために前記カメラが玄関端末ケースの内部に収容されて成り、
前記居室端末は、前記カメラの撮像映像に加えて前記ＲＦＩＤ読取手段が読み取ったＲＦＩＤ情報を前記モニタに表示させる表示制御手段を有することを特徴とするインターホン装置。
【請求項２】
前記カメラが撮像した来訪者映像、及び前記カード提示部に提示されたＩＣカードの撮像映像は、前記表示制御手段の制御により前記モニタに並べて表示されることを特徴とする請求項１記載のインターホン装置。
【請求項３】
前記カード提示部は提示されるＩＣカードを位置決めする為の位置決め部を有することを特徴とする請求項１又は２記載のインターホン装置。
【請求項４】
前記位置決め部がカード提示部周囲に連続形成された段部であり、カード提示部は玄関端末ケース前面に凹状に形成されたことを特徴とする請求項３記載のインターホン装置。
【請求項５】
前記居室端末は、認証データを記憶する認証データ記憶手段、認証データを照合する認証データ照合手段を備え、ＩＣカードから前記ＲＦＩＤ読取手段が認証情報を読み取ったら、前記認証データ照合手段が前記認証データ記憶手段に予め記憶されていデータと照合し、一致データがあれば前記表示制御手段が一致データ及び前記認証データ記憶手段に記憶されている関連情報を前記モニタに表示することを特徴とする請求項１乃至４の何れかに記載のインターホン装置。
【請求項６】
前記居室端末には、公衆通信網を介してカード発行者等のデータベースにアクセスするための第１ルーターが接続され、
前記ＲＦＩＤ読取手段が読み取った認証情報に一致する認証データが認証データ記憶手段に無い場合は、前記認証データ照合手段が前記第１ルーターを介して外部から入手することを特徴とする請求項５記載のインターホン装置。
【請求項７】
前記居室端末は、前記カメラの撮像画像から顔画像を認識する顔画像認識手段、顔画像記憶手段、顔画像照合手段を有し、
前記顔画像照合手段は、前記カメラが撮像したＩＣカードの顔画像と前記顔画像記憶手段に記憶されている顔画像とを照合し、一致した顔画像があれば前記表示制御手段が一致データ及び関連項目を前記モニタに表示することを特徴とする請求項６記載のインターホン装置。
【請求項８】
ＲＦＩＤ読取手段が読み取った認証情報が、配達物情報を記録したＲＦタグを別途所持する配達業者の認証情報である場合は、前記ＲＦＩＤ読取手段は引き続き翳された配達物に関するＲＦタグを読み取ることを特徴とする請求項５乃至７の何れかに記載のインターホン装置。
【請求項９】
前記居室端末は、カメラ撮像画像から文字情報を認識する光学文字認識手段を有し、ＲＦＩＤ読取手段が読み取った認証情報が、配達物情報を記録した光学的情報媒体を別途所持する配達業者の認証情報である場合は、前記カメラが前記カード提示部に提示された配達物に関する光学的情報媒体を撮像し、入手した撮像画像から配達物情報を認識することを特徴とする請求項５乃至７の何れかに記載のインターホン装置。
【請求項１０】
前記居室端末には、公衆通信網を介して配達物情報を保有する配達物データベースにアクセスするための第２ルーターが接続され、
前記認証制御手段は、前記ＲＦＩＤ読取手段或いは前記光学文字認識手段が読み取った配達物情報を前記第２ルーターを介して外部から入手し、前記表示制御手段が入手した配達物に関する情報を前記モニタに表示することを特徴とする請求項８又は９記載のインターホン装置。
【請求項１１】
前記居室端末は公衆通信網を介して配達物情報を保有する配達物データベースに接続され、配送される配達物に関する情報を、事前に前記配達物データベースから入手する宅配情報入手手段を有し、前記ＲＦＩＤ読取手段或いは前記光学文字認識手段が読み取った配達物に関する情報と前記外部から入手した情報を認証データ照合手段が照合し、一致した情報を前記表示制御手段が前記モニタに表示することを特徴とする請求項８又は９記載のインターホン装置。
【請求項１２】
ＲＦＩＤ読取手段は、読取対象のＲＦタグ等に情報を書き込む書込機能を有すると共に、前記居室端末は前記書込機能を能動として受領データを前記ＲＦタグに送信する受領データ送信手段を有することを特徴とする請求項８乃至１１の何れかに記載のインターホン装置。
【請求項１３】
前記居室端末は、公衆通信網を介してＩＣカードで認識した配達業者のデータベースにアクセスして受領データを送信する受領データ外部送信手段を有し、
前記受領データ外部送信手段が操作されたら、前記データベースに受領データが送信されることを特徴とする請求項８乃至１２の何れかに記載のインターホン装置。
【請求項１４】
ＲＦＩＤ読取手段が読み取ったＩＣカード情報、ＲＦタグ情報、光学文字認識手段による読取情報は、日時情報と共に前記認証データ記憶手段に記憶制御するデータ保存制御手段を有し、前記居室端末の所定の操作で前記モニタに表示可能であることを特徴とする請求項８乃至１３の何れかに記載のインターホン装置。
【請求項１５】
前記玄関端末が集合住宅の集合玄関に設置され、前記居室端末が集合住宅の個々の居室に設置された場合にあっては、
前記認証データ照合手段は集合住宅のエレベータ制御装置と通信が可能であり、前記ＲＦタグ或いは前記光学的情報媒体から読み取った配達先情報を前記エレベータ制御装置に送信し、前記エレベータ制御装置は受信した配達先情報を基にエレベータを集合玄関から配達先の居室に対応する所定階まで自動運転制御を行うことを特徴とする請求項８乃至１４の何れかに記載のインターホン装置。
【請求項１６】
前記ＲＦＩＤ読取部は、重ねた状態のＩＣカードを同時に読取可能であって、前記認証データ照合手段は読み取った２種類の認証情報を認証データ記憶手段に保存されているデータ、或いは外部から入手した情報と照合することを特徴とする請求項５乃至１５の何れかに記載のインターホン装置。
【請求項１７】
来訪者の全身を撮像可能な外設カメラを前記玄関端末とは独立して玄関に設置し、前記表示制御手段は前記カード提示部にＩＣカード等が提示されて前記カメラの前方が塞がれている間は前記外設カメラの撮像映像を前記モニタに表示することを特徴とする請求項１乃至１６の何れかに記載のインターホン装置。
【発明の詳細な説明】
【技術分野】
【０００１】
本発明はインターホン装置に関し、特に来訪者認証機能を備えたインターホン装置に関する。
【背景技術】
【０００２】
従来より来訪者認証機能として、来訪者を撮像するカメラを具備したインターホンシステムがある。これは、玄関に設置された玄関端末にカメラが設置されると共に、住戸内に設置される居室端末にモニタが設置され、来訪者が玄関端末を操作して呼び出しが成されたら、カメラが起動して来訪者を撮像し、その映像がモニタに出画された。これによって、居住者は応答する前に来訪者の顔を確認できるし、その後来訪者を見ながら応答することができ、玄関で直接応対して確認することなく来訪者を確認即ち認証することができた。
【０００３】
ところが犯罪の巧妙化が進み、犯罪を目的とした訪問者は制服を着用するなどして身分を詐称することが考えられる。このような場合には、来訪者を撮像した映像情報だけでは認証の為の情報としては不十分であるため、例えば特許文献１のような構成のインターホン装置が提案されている。
この特許文献１は、宅配業者を装った強盗等による被害を未然に防止するインターホン装置であり、ＩＣタグ（ＲＦタグ）等から入手した宅配業者情報と、来訪者を撮像した映像と、インターネットを介して入手した宅配業者、宅配物情報等から来訪者を認証する構成となっている。
【０００４】
【特許文献１】特開２００５−２９２９２１号公報
【発明の開示】
【発明が解決しようとする課題】
【０００５】
しかしながら、上記特許文献１の構成は、盗まれたＩＣカード等を使用した場合にはそれを見抜くことが難しかったし、認証のための情報源がバーコード等の画像情報の場合は対応できなかった。
そこで、本発明はこのような問題点に鑑み、来訪者映像に加えて、来訪者が提示する身分証明書としてのＩＣカードのＲＦＩＤ情報及びＩＣカードに印刷されている画像情報も入手して来訪者を複合的に認証するインターホン装置を提供することを目的とする。
【課題を解決するための手段】
【０００６】
上記課題を解決する為に、請求項１の発明は、居住者を呼び出して通話する機能及び来訪者を撮像するためのカメラを備えた玄関端末と、呼び出しに応答する機能及びカメラの撮像映像を表示するモニタを備えた居室端末とを有するインターホン装置であって、玄関端末は、ＲＦＩＤ読取手段、及び来訪者が提示するＩＣカードを密着させるためのカード提示部を備えて、ＲＦＩＤ読取手段のアンテナコイルをカード提示部に配置すると共に、カード提示部に提示されたカードを撮像可能とするためにカメラが玄関端末ケースの内部に収容されて成り、居室端末は、カメラの撮像映像に加えてＲＦＩＤ読取手段が読み取ったＲＦＩＤ情報をモニタに表示させる表示制御手段を有することを特徴とする。
この構成によれば、カメラが来訪者を撮像すると共に身分証明書であるＩＣカードの写真の双方を撮像することで、モニタに双方を出画させることができる。また、ＩＣカードから読み取ったＲＦＩＤ情報もモニタに表示される。よって、来訪者の認証を複数の情報を基に行うことが可能となり、セキュリティの向上を図ることができる。
また、来訪者の撮像とＩＣカードの撮像を１つのカメラで実施することでコスト増とならないし、ＲＦＩＤ読取手段のアンテナコイルはカード提示部に設けられるので別途設置空間を必要とせず玄関端末の小型化を図ることができる。
【０００７】
請求項２の発明は、請求項１に記載の発明において、カメラが撮像した来訪者映像、及びカード提示部に提示されたＩＣカードの撮像映像は、表示制御手段の制御によりモニタに並べて表示されることを特徴とする。
この構成によれば、来訪者映像とその後撮像したカードの写真の比較を容易に実施でき、居住者は両者の相違を判断し易い。
【０００８】
請求項３の発明は、請求項１又は２に記載の発明において、カード提示部は提示されるＩＣカードを位置決めする為の位置決め部を有することを特徴とする。
この構成によれば、撮像されるＩＣカードは位置決めされてカード提示部に提示される。よって、ＩＣカードの写真等の確実な撮像が可能となる。
【０００９】
請求項４の発明は、請求項３に記載の発明において、位置決め部がカード提示部周囲に連続形成された段部であり、カード提示部は玄関端末ケース前面に凹状に形成されたことを特徴とする。
この構成によれば、提示するＩＣカードの周囲４辺何れの部位でも位置決めできるので、提示する来訪者は簡易な操作でカードを確実に提示できる。また、カード提示部を凹状に形成することで玄関端末ケースには突起部がなく、操作し易い。
【００１０】
請求項５の発明は、請求項１乃至４に記載の発明において、居室端末は、認証データを記憶する認証データ記憶手段、認証データを照合する認証データ照合手段を備え、ＩＣカードからＲＦＩＤ読取手段が認証情報を読み取ったら、認証データ照合手段が認証データ記憶手段に予め記憶されていデータと照合し、一致データがあれば表示制御手段が一致データ及び認証データ記憶手段に記憶されている関連情報をモニタに表示することを特徴とする。
この構成によれば、居室端末に既に記憶されている来訪者である場合は、来訪者に関する情報が判る認証情報がモニタに表示される。よって、居住者はモニタに表示された認証情報により来訪者の認証を速やかに行うことができるし、確認間違いが発生しない。
【００１１】
請求項６の発明は、請求項５に記載の発明において、居室端末には、公衆通信網を介してカード発行者等のデータベースにアクセスするための第１ルーターが接続され、ＲＦＩＤ読取手段が読み取った認証情報に一致する認証データが認証データ記憶手段に無い場合は、認証データ照合手段が第１ルーターを介して外部から入手することを特徴とする。
この構成によれば、提示されたＩＣカードに関連する何らかの情報、例えば紛失の有無などの最新の情報を取得できる。よって、居住者には認証できないような事態が生じないし、盗まれたカード等の判断が容易である。
【００１２】
請求項７の発明は、請求項６に記載の発明において、居室端末は、カメラの撮像画像から顔画像を認識する顔画像認識手段、顔画像記憶手段、顔画像照合手段を有し、顔画像照合手段は、カメラが撮像したＩＣカードの顔画像と顔画像記憶手段に記憶されている顔画像とを照合し、一致した顔画像があれば表示制御手段が一致データ及び関連項目をモニタに表示することを特徴とする。
この構成によれば、撮像したＩＣカードの顔写真が自動認証されるので、居住者は入手した他の情報と合わせて来訪者の認証をスムーズに行うことができるし、確認ミスすることが無くなる。
【００１３】
請求項８の発明は、請求項５乃至７の何れかに記載の発明において、ＲＦＩＤ読取手段が読み取った認証情報が、配達物情報を記録したＲＦタグを別途所持する配達業者の認証情報である場合は、ＲＦＩＤ読取手段は引き続き翳された配達物に関するＲＦタグを読み取ることを特徴とする。
この構成によれば、読み取った配達物の情報をモニタに表示すれば、居住者は自宅への配達物であることを確認できる。
【００１４】
請求項９の発明は、請求項５乃至７の何れかに記載の発明において、居室端末は、カメラ撮像画像から文字情報を認識する光学文字認識手段を有し、ＲＦＩＤ読取手段が読み取った認証情報が、配達物情報を記録した光学的情報媒体を別途所持する配達業者の認証情報である場合は、カメラがカード提示部に提示された配達物に関する光学的情報媒体を撮像し、入手した撮像画像から配達物情報を認識することを特徴とする。
この構成によれば、配達物の伝票にＲＦタグが無く、バーコード等の二次元情報であっても読み取ることができ、モニタに表示すれば、居住者は自宅への配達物であることを確認できる。
【００１５】
請求項１０の発明は、請求項８又は９に記載の発明において、居室端末には、公衆通信網を介して配達物情報を保有する配達物データベースにアクセスするための第２ルーターが接続され、認証制御手段は、ＲＦＩＤ読取手段或いは光学文字認識手段が読み取った配達物情報を第２ルーターを介して外部から入手し、表示制御手段が入手した配達物に関する情報をモニタに表示することを特徴とする。
この構成によれば、配達物に関する情報を予め持っていない場合は外部から入手するので、配達物を確実に確認できる。
【００１６】
請求項１１の発明は、請求項８又は９に記載の発明において、居室端末は公衆通信網を介して配達物情報を保有する配達物データベースに接続され、配送される配達物に関する情報を、事前に配達物データベースから入手する宅配情報入手手段を有し、ＲＦＩＤ読取手段或いは光学文字認識手段が読み取った配達物に関する情報と外部から入手した情報を認証データ照合手段が照合し、一致した情報を表示制御手段がモニタに表示することを特徴とする。
この構成によれば、予め配達物に関する情報を入手しているので、配達物が本物であるかスムーズに確認できる。
【００１７】
請求項１２の発明は、請求項８乃至１１の何れかに記載の発明において、ＲＦＩＤ読取手段は、読取対象のＲＦタグ等に情報を書き込む書込機能を有すると共に、居室端末は書込機能を能動として受領データをＲＦタグに送信する受領データ送信手段を有することを特徴とする。
この構成によれば、居室端末を操作して玄関先の配達業者に対して配達物の伝票等に受領を認証したことを示す受領データを書き込むことが可能となる。よって、玄関での煩わしい押印やサインが不要となり、居住者が玄関まで出る必要が無くなり、利便性が良い。
【００１８】
請求項１３の発明は、請求項８乃至１２の何れかに記載の発明において、居室端末は、公衆通信網を介してＩＣカードで認識した配達業者のデータベースにアクセスして受領データを送信する受領データ外部送信手段を有し、受領データ外部送信手段が操作されたら、データベースに受領データが送信されることを特徴とする。
この構成によれば、受領データが直接業者のデータベースに書き込まれることで、配達業者は管理業務の効率化を図る事ができる。
【００１９】
請求項１４の発明は、請求項８乃至１３の何れかに記載の発明において、ＲＦＩＤ読取手段が読み取ったＩＣカード情報、ＲＦタグ情報、光学文字認識手段による読取情報は、日時情報と共に認証データ記憶手段に記憶制御するデータ保存制御手段を有し、居室端末の所定の操作でモニタに表示可能であることを特徴とする。
この構成によれば、一度配達した配達業者はＩＤ情報が登録されるので、次回のＩＤカードの提示から速やかに認証を受けることができる。また、不在時に配達業者の配達があっても、その時刻や配達物の情報は保存されるので、帰宅時等にその情報を見ることでき、居住者は配達業者に次の配達時刻の連絡に利用できるし、配達業者は配達物を届けに伺ったことを確実に通知できる。
【００２０】
請求項１５の発明は、請求項８乃至１４の何れかに記載の発明において、玄関端末が集合住宅の集合玄関に設置され、居室端末が集合住宅の個々の居室に設置された場合にあっては、認証データ照合手段は集合住宅のエレベータ制御装置と通信が可能であり、ＲＦタグ或いは光学的情報媒体から読み取った配達先情報をエレベータ制御装置に送信し、エレベータ制御装置は受信した配達先情報を基にエレベータを集合玄関から配達先の居室に対応する所定階まで自動運転制御を行うことを特徴とする。
この構成によれば、配達業者はＲＦタグ等を玄関端末に翳すだけで、届け先の住戸のフロアまで煩わしいエレベータ操作をすることなく進むことができ、両手が塞がっていても、無理なくエレベータを利用できる。また、エレベータがこの制御中は、他のフロアでは開かないように制御でき、そうすることで配達業者を装った不審者が他のフロアに進もうとした場合、それを防ぐことが可能となる。
【００２１】
請求項１６の発明は、請求項５乃至１５の何れかに記載の発明において、ＲＦＩＤ読取部は、重ねた状態のＩＣカードを同時に読取可能であって、認証データ照合手段は読み取った２種類の認証情報を認証データ記憶手段に保存されているデータ、或いは外部から入手した情報と照合することを特徴とする。
この構成によれば、二つのＩＣカードからの認証情報を同時に読み取り照合するので、１枚のカードの認証と変わらない手間で二重の認証ができる。そして、二つのカード情報が一致した場合、正しいカード及びカード保持者であると認定できる。よって、居住者は１枚のカード認証と同様な手間でカードのダブルチェックができる。
【００２２】
請求項１７の発明は、請求項１乃至１６の何れかに記載の発明において、来訪者の全身を撮像可能な外設カメラを玄関端末とは独立して玄関に設置し、表示制御手段はカード提示部にＩＣカード等が提示されてカメラの前方が塞がれている間は外設カメラの撮像映像をモニタに表示することを特徴とする。
この構成によれば、玄関端末が提示されたカードを撮像している間、或いは故意にカメラが塞がれた場合は、監視カメラの映像がモニタに表示されるので、セキュリティを維持できる。
【発明の効果】
【００２３】
本発明によれば、カメラが来訪者を撮像すると共に身分証明書であるＩＣカードの写真の双方を撮像することで、モニタに双方を出画させることができる。また、ＩＣカードから読み取ったＲＦＩＤ情報もモニタに表示される。よって、来訪者の認証を複数の情報を基に行うことが可能となり、セキュリティの向上を図ることができる。
また、認証の為の情報が無い場合はカード発行者のデータベースからインターネット等を経由して情報を入手するため確実な確認ができる。
【００２４】
更に、宅配業者や郵便局員など配送業務での来訪については、配送される荷物や伝票に貼付されているＲＦタグやバーコードを読み取ることにより、その配送番号や配送事業者を認識し、その情報を基にインターネット等を経由して入手した情報と照合することで正当性の確認を行う事ができる。また、警察官など来訪の正当性が判らない場合には、その身分証明書の発行者、及び身分証明書番号から、発行者のデータベースにインターネット経由等でアクセスして来訪の正当性の確認を行うことができる。
【発明を実施するための最良の形態】
【００２５】
以下、本発明を具体化した実施の形態を、図面に基づいて詳細に説明する。
〈第１の実施形態〉
図１は戸建住宅における本発明のインターホン装置の一例を示す構成図であり、居住者を呼び出して通話するための玄関端末１と、呼び出しに応答するための居室端末２と、この居室端末２を住宅外のインターネット等の公衆通信網と接続するためのルーター３と、玄関扉に設けられた電気錠４と、来訪者の全身を写す外設カメラ５から構成されている。
そして、６はインターネット網、７はカード会社等に設置されてインターネット網６に接続されたＩＣカード等情報が格納されているＩＤデータベース、８は宅配業者等に設置されてインターネット網６に接続された配達物の情報が格納されている宅配物データベースを示している。
【００２６】
玄関端末１は図２の回路ブロック図に示すように、マイク１０ａ及びスピーカ１０ｂを備えた通話部１０、来訪者を撮像するためのカメラ１１、カメラを制御すると共にカメラ１１が撮像した映像信号の変調処理等を行うカメラ制御・映像処理部１２、提示されたＩＣカード等と通信するためのＲＦＩＤ入出力部（ＲＦＩＤ読取手段）１３、カードが提示されたことを検知するカードセンサ１４、居住者を呼び出すための呼出ボタン１５、電気錠４を制御する電気錠通信部１６、来訪者に対してガイド音声を報音するための音声合成部１７、玄関端末１の各回路を制御するＣＰＵを備えた玄関端末制御部１８、各種設定を記憶する記憶部１９、居室端末２と音声、映像、ＲＦＩＤデータ等の通信を行うための玄関端末インターフェイス部２０を有している。
【００２７】
また、玄関端末１は図３（ａ）の正面図に示すような外観を成し、図３（ｂ）は提示されるＩＣカード２５を示している。図３（ａ）において、１ａは玄関端末ケース、２２はカメラ取付部の前面を覆うように設けられたカード提示部を示している。カード提示部２２は、提示されるＩＣカードサイズの平坦な四角形で形成され、周囲には段部２３が設けられ、カード提示部２２は全体が凹部として形成されている。こうして段部を周囲に形成することで、提示するＩＣカードの周囲４辺何れの部位でも位置決めでき、来訪者は簡易な操作でカードを所定部位に提示できる。そして、ＩＣカードは位置決めされるので、ＩＣカードの写真等がぶれることなく鮮明に撮像できる。
尚、２５ａはＩＣカード２５に組み込まれたＲＦタグ（の要部となるＩＣチップ）、２５ｂはＲＦタグ２５ａの通信用アンテナ、２５ｃは印刷された顔写真、２５ｄは印刷されたＩＤ情報を示している。
【００２８】
そして、玄関端末１のカメラ１１はカード提示部２２の内部に配置されている。具体的に、ＩＣカード２５に添付されている顔写真２５ｃが中心に来るようカード提示部２２内の左寄りに配置されている。こうして、カメラ１１は来訪者を撮像すると共にＩＣカード２５が提示された場合は、ＩＣカード２５の顔写真を撮像できるよう配置され、カメラ制御・映像処理部１２により、撮像対象に合わせて焦点が調整される。
また、ＲＦＩＤ入出力部１３に備えられたＩＣカードと通信するためのアンテナコイル２４は、このカード提示部２２内に配置され、提示されたＩＣカード２５から情報を入手し易い構成となっている。
【００２９】
居室端末２は、図４の回路ブロック図に示すように、マイク３０ａ及びスピーカ３０ｂを備えた通話部３０、玄関端末１と通信をするための居室端末インターフェイス部３１ａ、外設カメラ５と通信するカメラインターフェイス部３１ｂ、ＩＣカードから読み取ったＩＤ情報を認証するための認証情報記憶部としての記憶部３２と、ルーター３とデータをやり取りするためのネットワークインターフェイス部３３と、各種操作を行う為の操作部３５、玄関端末１のカメラ１１が撮像した映像やルーター３から入手したデータ等を表示するモニタ３６、伝送されてきた映像信号の復調処理等を行う映像処理部３７、居室端末２を制御するＣＰＵを備えた居室端末制御部３８を有している。そして、操作部３５には、呼び出しに応答する為の通話ボタン３５ａ、カメラ１１を起動させる画像表示ボタン３５ｂ、後述する受領確認ボタン３５ｃ、玄関扉の電気錠を解錠する解錠ボタン３５ｄを備えている。
【００３０】
以下、上記インターホン装置の動作を説明する。来訪者が顔写真付の身分証明用のＩＣカードを持っている場合の動作について図５、図６のフローチャートに基づいて説明する。図５は玄関子機１の動作の流れの概略を示し、図６は居室端末の動作の流れの概略を示している。
来訪者が玄関端末１の呼出ボタン１５を押す（Ｓ１）と、玄関端末１から呼出信号が居室端末２に伝送される。同時にカメラ１１が起動して来訪者の撮像を開始（Ｓ２）すると共に、玄関端末制御部１８の制御により音声合成部１７から音声信号が送出され玄関端末１のスピーカ１０ｂから例えば「ＩＣカードを所持している方はＩＣカードを提示してください」のガイダンスが流れる（Ｓ３）。
【００３１】
来訪者によりＩＣカード２５が玄関端末１のカード提示部２２に提示されると、ＲＦＩＤ入出力部１３がＩＣカード２５のＲＦタグ２５ａに記憶されているＩＤ情報を読み取り（Ｓ４）、読み取りが成功したら（Ｓ５）、読み取ったデータを居室端末２に伝送する（Ｓ６）。更にＩＣカード２５がカード提示部２２に密着されると、カードセンサ１４がＩＣカード２５が提示されたことを検知し、カメラ１１のカメラ制御・映像処理部１２がカメラ１１の焦点を通常の来訪者撮像位置からレンズカバー直近のカード撮像位置に移動し、ＩＣカード２５の顔写真を含むカード画像を取得し（Ｓ７）、この画像情報が居室端末２に送信（Ｓ８）される。尚、ＩＤ情報の読み取り（Ｓ４）は、読み取りが完了するまで例えば２秒等の所定時間繰り返され、所定時間内に読み取りできなければ、ＲＦタグ無しと判断してカメラ１１によるカード撮像（Ｓ７）に進む。
【００３２】
居室端末２では、画像情報の伝送を受けて（Ｓ１０１）、居室端末制御部３８の制御により、伝送された顔画像データを最初に撮像した来訪者画像と共にモニタ３６に並べて表示（Ｓ１０２）する。このように表示することで、来訪者映像とその後撮像したカードの写真の比較を容易に実施でき、居住者は両者の相違を判断し易い。
そして、先に伝送されたＩＤ情報を記憶部３２に既に登録されている照合情報と照合（Ｓ１０３）する。照合結果が該当ナシであった場合には、ルーター３経由でインターネット網６に接続し、読み取ったＩＤ情報に含まれるアドレス情報を基にカード会社等のデータベースを決定し（Ｓ１０８）、アクセスしてＩＣカード２５の登録情報を問い合わせて照合（Ｓ１０９）する。
【００３３】
この照合動作でも該当情報がなければ（Ｓ１１０）、居室端末２は玄関端末１に対してＩＣカード該当ナシ（認証不可）の照合結果を送り（Ｓ１１１）照合動作を終了する（Ｓ１１８）。また、いずれかの照合で該当者が発見されれば、該当者の情報を入手すると共に、居室端末２のモニタ３６に該当したＩＣカード２５の所有者氏名等の情報を表示（Ｓ１０５）する。このとき、外部のＩＤデータベース７から入手した情報にＩＣカード２５の盗難情報等が記録されていた場合には、その情報も合わせてモニタ３６に表示される（Ｓ１０５）。
その後、認証したＩＤ情報が宅配業者である場合は、居室端末制御部３８がそれを認識し（Ｓ１０６）、玄関端末１に対して宅配物の情報を入手するためのメッセージ指示信号を出し（Ｓ１１２）、ＲＦタグ情報の入手を待つ。
【００３４】
更に、ＩＣカード２５の照合は、読み取ったＩＤデータの照合と同時に、訪問者が提示したＩＣカード２５に印刷されている顔写真の撮像画像と、インターネット網６を介してカード会社等のＩＤデータベース７から入手した訪問者の登録された顔写真データとを照合がなされる。居室端末制御部３８は顔画像認識機能を有し、記憶部３２に記憶されている顔画像データと照合（Ｓ１０３）が成され、照合結果が該当ナシであった場合には、ルーター３経由でインターネット網６に接続し、読み取ったＩＤ情報に含まれるアドレス情報を基にカード会社等のＩＤデータベース７を決定し（Ｓ１０８）、クセスしてＩＣカード２５の撮像情報を問い合わせて照合（Ｓ１０９）する。こうして、顔写真の偽造の有無が確認される。偽造の疑いが高い場合にも、盗難情報と同様に表示部に表示が行われる（Ｓ１０５）。
【００３５】
一方、居室端末２から照合結果を受け取った（Ｓ９）玄関端末１は、照合により認証されたら（Ｓ１０）、「カードを認証しました。」等のメッセージを送出し、ＩＣカード２５を玄関端末１から外すことを促す。また、認証されなければ待受状態に戻る。
メッセージを受けて、来訪者がＩＣカード２５を玄関端末１から外すと、カメラ制御部１２はカメラ１１の焦点を移動して通常の来訪者撮像位置に戻すことにより、カメラ１１は来訪者の顔画像を再び撮像する。居住者は、この認証表示を受けて再びモニタ３６に表示された来訪者映像を見ながら、通話ができるし、必要に応じて解錠操作すればよい。
【００３６】
このように、カメラが来訪者の映像とＩＣカードの写真映像の双方を撮像するので、モニタには双方を出画することができるし、ＩＣカードから読み取り認証した来訪者情報がモニタに表示される。よって、来訪者の認証を複数の情報を基に行うことが可能となり、セキュリティの向上を図ることができる。
そして、居室端末に既に記憶されている来訪者である場合は、来訪者に関する情報が判る認証情報がモニタに表示されるし、保持していない場合は外部のデータベースから入手するので、提示されたＩＣカードに関連する何らかの情報を表示できる。よって、居住者には認証できないような事態が生じないし、例えば紛失の有無などの最新の情報を取得でき、居住者はモニタに表示された認証情報により来訪者の認証を速やかに行うことができるし、確認間違いが発生しない。
【００３７】
また、撮像したＩＣカードの顔写真が自動認証されるので、居住者は入手した他の情報と合わせて来訪者の認証をスムーズに行うことができるし、確認ミスすることが無くなる。例えば、警察官等、来訪の正当性が判らない場合には、その身分証明書の発行者、及び身分証明書番号から、発行者のデータベースにインターネット経由等でアクセスして来訪の正当性の確認をスムーズに行うことが可能となる。
更に、来訪者の撮像とＩＣカードの撮像を１つのカメラで実施することでコスト増とならないし、ＲＦＩＤ読取手段のアンテナコイルはカード提示部に設けられるので別途設置空間を必要とせず玄関端末の小型化を図ることができる。
【００３８】
尚、ＩＣカード２５が提示されている間は、外設カメラ５を起動して、来訪者を別角度から撮像した映像をモニタ３６に表示させることができる。これは、玄関端末１の焦点移動機能が作動して焦点がカメラ直近の表面に移動した際には、玄関端末制御部１８が居室端末２に対して焦点が移動している旨の信号を送出することにより、居室端末制御部３８は外設カメラ５の映像を表示部に表示するように制御することができる。この切替により、カメラ１１が撮像している時には、玄関周囲の様子が居室内で確認できないという問題が解決でき、悪意を持った不審者がカメラ１１を塞いでも、居住者はそれを外設カメラの映像で知ることができ、対処することができる。
【００３９】
また、ＲＦＩＤ読取部は、重ねた状態の２枚のＩＣカードを同時に読み取ることも可能であり、２枚重ねられて提示された場合は、同時に双方のＩＤ情報が読み取られる。そして、認証データが保存されていない場合は、夫々の関係するＩＤデータベース７にアクセスし、二重に認証が成される。そのため、１枚のカードの認証と変わらない手間で二重の認証ができ、二つのカード情報が一致した場合、正しいカード及びカード保持者であると認定できる。よって、居住者は１枚のカード認証と同様の手間でカードのダブルチェックができる。
更に、上記実施形態では、来訪者が呼出ボタン１５を押すとガイダンスを流しているが、来訪者がＩＣカード２５をカード提示部２２に提示することにより呼出ボタン１５の操作なく呼出操作が行われるようにしてもよい。また、来訪者の顔画像、ＩＣカードの情報、ＩＣカードに印刷された写真の３点を照合したが、ＩＣカードの情報、写真の２つの照合でも同様の効果を奏する。
【００４０】
そして、上記一連の照合動作の結果、承認した来訪者が宅配業者である場合は、引き続き以下の照合動作が実施される。居室端末２からメッセージ指示信号を受けたら宅配業者と判断（Ｓ１１）して、玄関端末制御部１８の制御により音声合成部１７からメッセージが送出されて、スピーカ１０ｂから「宅配伝票がある場合には、伝票をカード提示部に提示してください。」等のメッセージが報音される（Ｓ１２）。
【００４１】
こうして、来訪者により手持ちのＲＦタグが組み込まれた宅配伝票が玄関端末１のカード提示部２２に提示されると、上記ＩＣカードのＩＤ情報読み取りと同様にＲＦＩＤ入出力部１３がＲＦタグ（図示せず）を読み取り（Ｓ１３）、読み取りが成功したら（Ｓ１４）、居室端末２に読み取ったデータを送信する（Ｓ１７）。
居室端末制御部３６は、このデータを受けて（Ｓ１１３）、既に認識しいる宅配業者データからアクセスするデータベースを決定（Ｓ１１４）し、ルーター３経由でインターネット網６に接続し、宅配会社、その代理業者等の住宅外の宅配物データベース８にＲＦタグの登録情報を問い合わせ（Ｓ１１５）て照合する。この照合操作で伝票が照合されれば（Ｓ１１６）、伝票の情報を居室端末２のモニタ３６に宅配物等の情報を表示（Ｓ１１７）し、認証成功を玄関端末１に返信する（Ｓ１０７）。
【００４２】
そして、宅配伝票提示の指示をしてもＲＦタグの読み込みができなければ（Ｓ１４）、玄関端末制御部１８の制御により、カメラ１１が上記ＩＣカード２５の撮像と同様に宅配伝票を撮像して居室端末２に撮像画像を伝送する（Ｓ１５）。居室端末２では、この画像をモニタ３６に表示すると共に、宅配伝票にバーコード、あるいはＯＣＲ読み取り可能な伝票番号等、光学的に識別可能な伝票番号が付されていた場合（Ｓ１１３）は、居室端末制御部３８がその情報を読み取り、アクセスするデータベースを決定（Ｓ１１４）してルーター３経由でインターネット網６に接続し、宅配業者、或いはその代理業者等の住宅外の宅配物データベース８に問い合わせ（Ｓ１１５）て照合する。この照合で該当伝票情報が発見されれば（Ｓ１１６）、該当伝票の情報をモニタ３６に表示し（Ｓ１１７）、認証したことを玄関端末１に通知し（Ｓ１１１）、認証制御を終了する（Ｓ１１８）。この認証を受けた（Ｓ１６）玄関端末１は読込動作を終了する（Ｓ１７）。一方、認証不可情報を受け取った玄関端末１は、待受状態に戻り呼出ボタン押下（Ｓ１）を待つ。
【００４３】
尚、モニタ３６に宅配物等の情報を表示した後は、居室端末制御部３８の制御により、あるいは住宅内の居住者による居室端末キー入力部にある画像表示キーの操作によりモニタ画面を来訪者のいる玄関端末１のカメラ１１の撮像映像に切り替えることができる。
【００４４】
このようなモニタ３６の表示動作により、来訪者が宅配業者であると認識した居住者は、通話ボタン３５ａを押して玄関端末１との間で通話路を形成し、安心した来訪者と通話ができる。そして、解錠ボタン３５ｄを操作して電気錠４を解錠させ、来訪者を室内に招き入れ、宅配物を受領すればよい。また、宅配物を受け取る際、玄関に宅配ボックスが備えられている場合は、玄関ドアのキーを解錠した後、来訪者に対して宅配物を置くようにメッセージを送っても良い。このメッセージを聞いた来訪者は、指定された場所に宅配物を保管して立ち去る。
【００４５】
このように、宅配物に関する情報を予め持っていなくても外部から入手するので、発送元情報を入手でき、認証結果がモニタに表示されるので、居住者は安心して受け取ることができる。そして、宅配物の伝票にＲＦタグが無く、バーコード等の二次元情報により宅配物情報が登録された場合であっても読み取ることができ、正規の宅配物であればモニタにそれが表示される。よって、居住者は本物であるか確認できる。
【００４６】
更に、上記照合動作を受けて居住者が宅配物を受け取った後、居室端末２の受領確認ボタン３５ｃが操作されると、上記インターホン装置は引き続き以下の動作を行う。
居室端末２の受領確認ボタン３５ｃが操作されると、居室端末制御部３８は玄関端末１に受領データをＲＦタグ等に書き込む指示を出す。この指示を受けて玄関端末１は「受領データを送付します、伝票を提示してください。」等のメッセージをスピーカ１０ｂから報音する。このメッセージを聞いた来訪者がＲＦタグを具備した宅配伝票をカード提示部付近に翳したら、ＲＦＩＤ入出力部１３は伝票のＲＦタグに対して受領確認データを書込む。この受領情報が記憶された宅配伝票を来訪者が持ち帰ることにより、受領印を受け取ることなく受領確認ができる。
【００４７】
また、受領確認ボタン３５ｃの操作を受けて、居室端末制御部３８はルーター３を経由して住宅外の宅配業者等の宅配物データベース８に受領確認信号を送信する。こうして、宅配業者は訪問した配達者の報告を待たずに宅配物の受領情報が入手される。この送信が完了すると、居室端末制御部３８により、玄関端末１にデータ送信完了通知の指示が出され、玄関端末１はスピーカ１０ｂから「受領データを宅配業者のデータベースに通知しました」と報音し、来訪者に受領手続きの終了をアナウンスする。この動作により、宅配業者は受領データを書込ＲＦタグを持たなくても、受領確認を得ることができ、居住者は来訪者と顔を合わせずに宅配物の受け取りができる。
【００４８】
このように、居室端末を操作して玄関先の宅配業者に対して宅配物の伝票等に受領を認証したことを示す受領データを書き込むことができる。そのため、玄関での煩わしい押印やサインが不要となり、居住者が玄関まで出無くて済み利便性が良い。
また、受領データが直接業者の宅配物データベースに書き込まれることで、宅配業者は管理業務の効率化を図る事ができる。
【００４９】
尚、ＩＣカードから読み取ったＩＤ情報、来訪者の顔情報、読み取った宅配物の情報は、宅配物の受領に如何に関わらず居室端末制御部３８の制御により、日時情報と共に記憶部３２に記憶される。そのため、不在時に宅配業者の配達があっても、その時刻や宅配物の情報は保存されるので、居住者は帰宅時等にその情報を見ることでき、例えば宅配物が生鮮食糧品であった等の緊急性を要する場合には、直ちに再配達を依頼する等、適切な対応を採ることが可能となる。また、宅配業者は宅配物を届けに伺ったことを確実に通知できる。更に、一度配達した配達業者はＩＤ情報が登録されるので、次回のＩＤカードの提示から速やかに認証を受けることができる。
【００５０】
また、宅配物の情報は、宅配物の発送手続が成された時点で受取人に宅配物情報をインターネット網６を介して通知することが可能であるため、宅配業者側から事前に通知しても良い。この通知により、受取人は宅配物情報を事前に知ることができるし、宅配業者が来てから外部の宅配物データベース８に照合する手間が必要無くなり、宅配物が本物であるかスムーズに確認できる。この予め通知する方法としては、居室端末２から宅配物データベース８に対して該当する住戸宛の宅配物があるか定期的にアクセスしてデータを入手する方法、或いは住戸を宅配業者に登録して、宅配物が発生したらデータを送信してもらう方法等がある。
更に、受領確認ボタン３５ｃを操作することで、宅配業者に受領確認信号を送信しているが、宅配物を持った来訪者と居住者の間で通話がなされれば、受領されたことは明らかであることから、通話ボタン３５ａの操作、或いは解錠ボタン３５ｄの操作をトリガとして宅配業者に受領確認信号を送信しても同様の効果を奏する。
【００５１】
また、ＲＦタグの情報を住宅外から無条件に居室端末２に送信しているが、誤配達、あるいは伝票偽造等で他人の宅配物の情報を取得する場合が考えられる。これを防止するために、以下の２つの方法がある。第１の方法としては、ＲＦタグの情報をインターネット網６上に送出する時に、居室端末２から当該家屋を特定するデータをあわせて開示することにより、そのＲＦタグ発行者である宅配業者から当該家屋への訪問の正当性を確認し、正当性が確認できた場合のみ宅配物の情報を居室端末２に配信する方法である。第２の方法は、上述したように宅配業者が、配達前に配達先の居室端末２に対してＲＦタグの情報を送信しておき、居室端末２の記憶部３２に記憶させておくことである。
【００５２】
〈第２の実施形態〉
上記実施形態は戸建住宅におけるインターホン装置を説明したが、集合住宅に設置したインターホン装置でも同様の動作を実現できる。図７は集合住宅に設置されたインターホン装置の構成図を示している。集合住宅では、集合玄関に玄関端末としての集合玄関機４１が設置され、各居室に居室端末として居室親機４２が設置される。そして、集合玄関機４１と居室親機４２の間の通信を制御する制御装置４３が設置され、制御装置４３にはエレベータ制御装置４４を介してエレベータ４５が接続されている。また、ルーター３は個々の居室親機４２に接続せず、制御装置４３に１台接続された構成となっている。
【００５３】
以下、図７に示すインターホン装置のＩＤ認証動作を説明する。但し、上記戸建住宅のインターホン装置と共通する動作は説明を省略する。来訪者が集合玄関機４１を操作して訪問先の居室番号等が入力されると、上記実施形態と同様にＩＣカードを提示する案内が報じられる。こうして集合玄関機４１が、提示されたＩＣカードからのＩＤ情報を入手したら、居室親機４２により認証が成される。認証されたら居住者により解錠操作等が成され、集合玄関に設置された電気錠４が解錠されて来訪者の入場が可能となる。また、照合結果が該当ナシであった場合には、制御装置４３に接続されたルーター３経由でインターネットに接続し、外部のＩＤデータベースからＩＣカードの登録情報を照合する。この照合は上記実施形態と同様となる。
【００５４】
この照合により該当者が発見され（訪問者を認証でき）、訪問者が宅配物を配達している宅配業者の場合は、上記実施形態と同様に引き続き宅配物に関するＲＦタグ、或いは宅配伝票を読み取り居室親機は引き続き照合が行われる。照合されたら、居住者により居室親機４２の解錠ボタンが操作され、電気錠４が解錠される。そして、居室親機４２から制御装置４３を介してエレベータ制御装置４４に制御信号が送信される。この制御信号は、自身の居室番号情報を含む制御信号であり、エレベータ制御装置４４はこの信号を受けて、エレベーターを最初に集合玄関のある階に移動させ、その後指定された居室番号の居室のある階へ直行する制御を行う。
【００５５】
このように、配達業者はＲＦタグ等を玄関端末に翳すだけで、届け先の住戸のフロアまで煩わしいエレベータ操作をすることなく進むことができ、両手が塞がっていても、無理なくエレベータを利用できる。また、エレベータがこの制御中は、他のフロアでは開かないように制御でき、そうすることで配達業者を装った不審者が他のフロアに進もうとした場合、それを防ぐことが可能となる。
【００５６】
尚、上記実施形態は、何れも宅配物を持った訪問者の場合を説明したが、配達者は他の物品の配送業者もあれば郵便配達員の場合もある。上記宅配物を認証する実施形態は、このような配達者に対して適用できるもので、配達員の認証、配達物の認証を同様の手続により行うことができる。
また、玄関端末カメラ１１の撮像映像から顔画像を認識する顔画像認識手段、カメラ撮像画像から文字情報や認証情報を読み取る光学文字認識手段を居室端末制御部３８としているが、玄関端末１に設けても良い。
【図面の簡単な説明】
【００５７】
【図１】本発明に係るインターホン装置の第１の実施形態を示す構成図である。
【図２】図１の玄関端末の回路ブロック図である。
【図３】（ａ）は玄関端末の正面図、（ｂ）はＩＣカードの説明図である。
【図４】図１の居室端末の回路ブロック図である。
【図５】来訪者認証動作の流れを示すフローチャートであり、玄関端末の動作を示している。
【図６】来訪者認証動作の流れを示すフローチャートであり、居室端末の動作を示している。
【図７】本発明に係るインターホン装置の第２の実施形態を示す構成図である。
【符号の説明】
【００５８】
１・・玄関端末、１ａ・・玄関端末ケース、２・・居室端末、３・・ルーター（第１ルーター、第２ルーター）、５・・外設カメラ、６・・インターネット網（公衆通信網）、７・・ＩＤデータベース、８・・宅配物データベース、１１・・カメラ、１３・・ＲＦＩＤ入出力部（ＲＦＩＤ読取手段）、１８・・玄関端末制御部、２２・・カード提示部、２３・・段部（位置決め部）、２４・・アンテナコイル、２５・・ＩＣカード、３２・・記憶部（認証データ記憶手段、顔画像記憶手段）、３５・・操作部、３５ｃ・・受領確認ボタン（受領データ送信手段、受領データ外部送信手段）、３６・・モニタ、３８・・居室端末制御部（表示制御手段、認証データ照合手段、顔画像認識手段、顔画像照合手段、光学文字認識手段、宅配情報入手手段、データ保存制御手段）、４１・・集合玄関機（玄関端末）、４２・・居室親機（居室端末）、４４・・エレベータ制御装置、４５・・エレベータ。
【図１】
2008252615.tif 000003
【図２】
2008252615.tif 000004
【図３】
2008252615.tif 000005
【図４】
2008252615.tif 000006
【図５】
2008252615.tif 000007
【図６】
2008252615.tif 000008
【図７】
2008252615.tif 000009